【事件の表示】
　特許第５９９１６９８号発明「除湿装置」の特許異議申立事件について、次のとおり決定する。
【結　論】
　特許第５９９１６９８号の明細書及び特許請求の範囲を訂正請求書に添付された訂正明細書及び特許請求の範囲のとおり、訂正後の〔１−４〕について訂正することを認める。
　特許第５９９１６９８号の請求項１に係る特許を維持する。
【理　由】
第１　手続の経緯
　特許第５９９１６９８号（以下、「本件特許」という。）の請求項１ないし４に係る特許についての出願は、平成２３年　６月　１日を出願日として特許出願された特願２０１１−１２２９９４号の一部を、平成２６年　６月　３日に新たな特許出願としたものであって、平成２８年　８月２６日にその特許権の設定登録がされたものであり、その後、その特許のうち、請求項１に係る特許に対して、特許異議申立人 特許業務法人　高田・高橋国際特許事務所（以下、「申立人」という。）により、３件の特許異議の申立て（申立番号０１〜０３（以下、それぞれ「申立１」〜「申立３」とする。））がされたものであり、その手続の経緯は以下のとおりである。 
　平成２９年　３月　３日付け　特許異議の申立て（３件） 
　　　　同年　６月２９日付け　取消理由通知（１回目） 　　
　　　　同年　８月２４日付け　訂正の請求、意見書の提出 
　　　　同年　１２月１日付け　申立人による意見書の提出（１件）
　平成３０年　２月１６日付け　取消理由通知（２回目）
　　　　同年　４月　５日付け　訂正の請求、意見書の提出 
　
　なお、平成３０年４月５日付けの訂正の請求に対して、申立人に期間を指定して意見書を提出する機会を設けたが、意見書は提出されなかった。 
第２　訂正の請求について
１　訂正の内容　
　平成３０年　４月　５日付けの訂正の請求（以下、「本件訂正請求」という。）による訂正の内容は、以下のとおりである（下線部は，訂正箇所を示す）。　
　なお、平成２９年　８月２４日付けの訂正の請求（以下、「先の訂正請求」という。）は、取り下げられたものとみなす。 
（１）訂正事項１
　特許請求の範囲の請求項１に「供給ヒータ」とあるのを、「
第一の
前記第二の除湿ロータの再生ゾーンを通過した空気は前記第一のクーラによって冷却除湿された空気と混合され、この空気を第三のヒータによって加熱し前記第一の除湿ロータの再生ゾーンを通し、
（２）訂正事項２
　特許請求の範囲の請求項２に「前記供給ヒータ」とあるのを、「前記
第一の
（３）訂正事項３
　明細書の段落【００１４】、【００１５】、【００３８】及び【００３９】を削除する。 　　
（４）訂正事項４
　明細書の段落【００１９】、【００２４】及び【００３０】に「第一の再生ヒータ１０」とあるのを、「第一の
ヒ
（５）訂正事項５ 
　明細書の段落【００２１】、【００２５】、【００３０】及び【００３１】に「第二の再生ヒータ１３」とあるのを、「第二の
ヒ
（６）訂正事項６
　明細書の段落【００４１】に「１０　第一の再生ヒータ」とあるのを、「１０　第一の
ヒ
ヒ
（７）訂正事項７
　明細書の段落【０００１】に「空気の供給が可能で、現場ごとに条件を合わせる事が容易な」とあるのを、「空気の供給が可能
な
（８）訂正事項８
　明細書の段落【００１７】に「吸入側に入れるようにして、本件除湿機が設置される現場の状況に応じて、除湿条件を一定にすることができるようにした。」とあるのを、「吸入側に入れるようにし
た。
２　訂正の目的の適否、一群の請求項、新規事項の有無、及び特許請求の範囲の拡張・変更の存否
（１）訂正事項４について
　事案に鑑み、訂正事項４から検討する。
　訂正事項４の「第一の再生ヒータ１０」を「第一の
ヒ
（２）訂正事項１について  
　訂正事項１のうち、「供給ヒータ」を「
第一の
　さらに、訂正事項１のうち、「前記第二の除湿ロータの再生ゾーンに通過させ、前記第二の除湿ロータの再生ゾーンを通過した空気を再生ヒータで加熱して前記第一の除湿ロータの再生ゾーンに通し、外気を前記第一の除湿ロータの吸着ゾーンへ」を、「前記第二の除湿ロータの再生ゾーンに通過させ、
前記第二の除湿ロータの再生ゾーンを通過した空気は前記第一のクーラによって冷却除湿された空気と混合され、この空気を第三のヒータによって加熱し前記第一の除湿ロータの再生ゾーンを通し、
（３）訂正事項２について 
　訂正事項２は、訂正事項１の「供給ヒータ」を「第一のヒータ」とする訂正に併せて、請求項１を引用する請求項２の「前記供給ヒータ」を「前記
第一の
（４）訂正事項３について
　訂正事項３は、明細書の段落【００１４】、【００１５】、【００３８】及び【００３９】は、プラントの構成である配管が現場ごとに異なる場合であっても、除湿機は全て同一の条件で動作させるという、それ自体が不明瞭である記載が含まれているところ、当該事項に関連する記載を削除することにより、明細書の記載内容を明確にするものであるから、明瞭でない記載の釈明を目的とするものであり、願書に添付した明細書、特許請求の範囲又は図面に記載した事項の範囲内の訂正であって、また、実質上特許請求の範囲を拡張し、又は変更するものでもない。
（５）訂正事項５について 　 
　訂正事項５の「第二の再生ヒータ１３」を「第二の
ヒ
（６）訂正事項６について  
　訂正事項６の「１０　第一の再生ヒータ」を「１０　第一の
ヒ
ヒ
（７）訂正事項７について
　訂正事項７の本件明細書段落【０００１】の「空気の供給が可能で、現場ごとに条件を合わせる事が容易な」を、「空気の供給が可能
な
（８）訂正事項８について
　訂正事項８の本件明細書段落【００１７】の「吸入側に入れるようにして、本件除湿機が設置される現場の状況に応じて、除湿条件を一定にすることができるようにした。」を、「吸入側に入れるようにし
た。
（９）一群の請求項について　　　
　訂正前の請求項１〜４は、請求項２〜４が直接的又は間接的に請求項１を引用する関係にあるから、一群の請求項であり、上記訂正事項１、２は、一群の請求項１〜４について請求されたものである。また、訂正事項３〜８は、この一群の請求項の全てについて明細書を訂正するものと認められる。 
（１０） 独立特許要件について
　訂正事項１は、上記のとおり、特許請求の範囲の減縮を目的とする訂正を含むが、特許異議の申立ては、訂正前の請求項１にされているので、訂正後の請求項１に係る発明については、独立特許要件の規定は適用されない。
　また、訂正事項１により、訂正前の請求項１を直接又は間接的に引用する訂正前の請求項２〜４も同様に訂正されるところ、訂正前の請求項２〜４は、特許異議の申立てがされていないから、独立特許要件について検討する必要がある。
　しかし、下記第５のとおりであるから、訂正後の請求項１に係る発明は特許異議申立ての理由によって特許を受けることができないものではない。
　そうすると、訂正後の請求項２〜４は、訂正後の請求項１を引用するから、特許異議申立ての理由によって特許を受けることができないものではない。また、独立特許要件を満たさないとする新たな理由はない。
　したがって、訂正後の請求項２〜４に係る発明は、特許出願の際独立して特許を受けることができるものである。
３　むすび  
　以上のとおりであるから、本件訂正請求による訂正は、特許法第１２０条の５第２項ただし書第１号及び第３号に掲げる事項を目的とするものであり、かつ、同条第４項及び同条第９項において準用する同法第１２６条第４項から第７項までの規定に適合するので、訂正後の請求項〔１〜４〕 について訂正を認める。
第３　本件発明  
　本件訂正請求により訂正された請求項１〜４に係る発明は、次の事項により特定されるとおりのものである（そのうち、請求項１に係る発明を、「本件発明１」という）。 　 
  
【請求項１】  
　少なくとも再生ゾーンと吸着ゾーンとの２つのゾーンに分割された第一の除湿ロータと、少なくとも再生ゾーンと吸着ゾーンの２つに分割された第二の除湿ロータとを有し、外気を第一のクーラで冷却除湿して前記第一の除湿ロータの吸着ゾーンに通過させ、前記第一の除湿ロータの吸着ゾーンを通過した空気を前記第二の除湿ロータの吸着ゾーンを通過させ
第一の
ンを通過した空気は前記第一のクーラによって冷却除湿された空気と混合され、この空気を第三のヒータによって加熱し前記第一の除湿ロータの再生ゾーンを通し、
【請求項２】 
　前記第一のクーラは冷凍機のエバポレータを用い、前記
第一の
【請求項３】 
　冷凍機としてガスヒートポンプを用いたことを特徴とする請求項２記載の除湿装置。 
【請求項４】 
　少なくとも前記第二のヒータ或いは第一の除湿ロータの再生ゾーンに加熱空気を導く第三のヒータは、冷凍機のコンデンサとガスエンジンを冷却するラジエタの組合せであることを特徴とする請求項３記載の除湿装置。　
第４　取消理由について
　当審において通知した取消理由の概要は、以下のとおりである。
　
１　平成３０年　２月１６日付け取消理由通知（２回目）の概要
　先の訂正請求により訂正された請求項１は、下記の点で、特許法第３６条第６項第２号に規定する要件を満たしていない。 
 　　　　　　　　　　　　　　　　記 
　請求項１の「前記第二の除湿ロータの再生ゾーンを通過した空気を再生ヒータで加熱して前記第一の除湿ロータの再生ゾーンに通し、」における「再生ヒータ」と、「前記第二の除湿ロータの再生ゾーンを通過した空気は前記第一のクーラによって冷却除湿された空気と混合され、この空気を第三のヒータによって加熱し前記第一の除湿ロータの再生ゾーンを通し、」における「第三のヒータ」とは、両者とも第二の除湿ロータの再生ゾーンを通過した空気を加熱して第一の除湿ロータの再生ゾーンに当該空気を通すものであるが、各ヒータの名称が異なっているから、「再生ヒータ」と「第三のヒータ」とは、同一の加熱手段を示しているのかどうか明確でない。　 
２　平成２９年　６月２９日付け取消理由通知（１回目）の概要
　申立１〜申立３において、申立人が主張する申立理由は、全て採用した。
（１）申立１による取消理由　
　本件特許の出願は、分割要件を満たしていないため、その出願日は現実の出願日であるから、訂正前の請求項１に係る発明は、引用文献１に記載された発明であって、特許法第２９条第１項第３号に該当し、または、引用文献１に記載された発明に基いて当業者が容易に発明をすることができたものであって、特許法第２９条第２項の規定により、特許を受けることができないものであるから、その発明に係る特許は取り消すべきものである。
（引用文献）
　引用文献１：特開２０１２−２５０１５０号公報（申立１の甲第１号証
　　　　　　　（本件出願の原出願の公開公報）） 
　　 
（２）申立２による取消理由
　訂正前の請求項１に係る発明は、引用文献２、３に記載された発明に基いて、当業者が容易に発明をすることができたものであって、特許法第２９条第２項の規定により、特許を受けることができないものであるから、その発明に係る特許は取り消すべきものである。
（引用文献）
　引用文献２：特開２０１０−９１１３０号公報（申立２の甲第１号証）
　引用文献３：特開２００４−８９１４号公報（申立２の甲第２号証
　　　　　　　（申立３の甲第１号証））　　 
（３）申立３による取消理由
　訂正前の請求項１に係る発明は、引用文献３に記載された発明であって、特許法第２９条第１項第３号に該当し、または、引用文献３、４に記載された発明に基いて、当業者が容易に発明をすることができたものであって、特許法第２９条第２項の規定により、特許を受けることができないものであるから、その発明に係る特許は取り消すべきものである。　　　　　　　　　
（引用文献）　　　　　　　　　　　　　　　　
　引用文献３：特開２００４−８９１４号公報（申立３の甲第１号証
　　　　　　　　（申立２の甲第２号証）） 
　引用文献４：ムンタース株式会社，「乾式除湿機ハニカム　ＬＤタイプ
　　　　　　　　（超低露点除湿システム）」，１９９８年１１月、表紙、
　　　　　　　　裏表紙及び１〜５ページ（申立３の甲第２号証） 
第５　当審の判断
１　平成３０年　２月１６日付け取消理由（２回目）について
　先の訂正請求により訂正された請求項１において、第二の除湿ロータの再生ゾーンを通過し第一の除湿ロータの再生ゾーンに送られる空気を加熱するヒータについて、「再生ヒータ」と「第三のヒータ」の２つの用語により特定されていたが、本件訂正請求により、「再生ヒータ」の記載は削除され、上記ヒータは「第三のヒータ」であることが明らかにされたから、訂正後の請求項１は明確になった。
　よって、本件発明１は、特許法第３６条第６項第２号に規定する要件を満たすものである。 
 　 
２　平成２９年　６月２９日付け取消理由（１回目）について　　　　　
（１）申立１による取消理由について
　取消理由通知において、本件明細書の段落【０００１】の「現場ごとに条件を合わせる事が容易」、段落【００１４】、【００１５】、【００３８】及び【００３９】の記載は、原出願の明細書等に記載された事項の範囲内のものではないから、本件特許による出願は、分割要件を満たしていないと通知したところ、本件訂正請求により、当該記載は削除された。
　そうすると、本件明細書の記載は、原出願の当初明細書等に記載された事項の範囲内のものであるから、本件特許の出願は、分割要件を満たす適法な分割出願であって、出願日の遡及が認められるものである。
　したがって、引用文献１は、本件特許に係る出願の遡及した出願日の後に頒布された刊行物であるから、本件発明１は、引用文献１に記載された発明に対して、特許法第２９条第１項第３号に該当するものではなく、また、同法第２９条第２項の規定により、特許を受けることができないものでもない。
　  
（２）申立２による取消理由について
　ア　各引用文献の記載事項及び引用文献２に記載された発明 
（ア）引用文献２の記載事項　 
２ａ「【請求項１】 
　処理ラインとして前段に第１冷却器を配置した第１デシカントロータの処理ゾーンと、前段に第２冷却器を配置した第２デシカントロータの処理ゾーンと、前段に第３冷却器を配置した第３デシカントロータの処理ゾーンとを直列に連通し、第１冷却器側から外気を吸い込み順次第２デシカントロータ及び第３デシカントロータの処理ゾーンで処理して超低露点の給気を室内側に供給し、前記第２デシカントロータの処理ゾーンの下流の処理空気の一部を第２冷却器の上流側に返還するとともに室内側からの還気も第３冷却器の上流側に返還し、 
　再生ラインとして前段に第３冷却器を配置した第３デシカントロータの再生ゾーンと、前段に第２再生器を配置した第２デシカントロータの再生ゾーンと、前段に第１再生器を配置した第１デシカントロータの処理ゾーンとを直列に連通し、各再生器は８０℃以下で加熱するとともに、前記給気の一部を前記第３再生器及び第３デシカントロータの再生ゾーンに供給し、該再生空気に外気を混合して第２デシカントロータに供給し、該第２デシカントロータからの再生空気を第１デシカントロータの再生ゾーンを順次通過して外部に排気することを特徴とする超低露点温度の乾燥空気を供給するデシカント空調機。」 
  
２ｂ「【０００２】 
・・・従来の超低露点の乾燥空気ＳＡを供給する空調機には・・・外気ＯＡをフィルターａを介してファンｂにより取込み、冷却器ｃで外気ＯＡを冷却し、回転式のデシカントロータｄを用いた乾式除湿器が使用されている。 
　この乾式除湿装置は、・・・吸着材で構成したロータを備え、このロータの端面に位置する空気の通過域、すなわち例えばロータの端面に配置するチャンバ等の仕切りによる空気の通過区域を除湿ゾーン(処理ゾーン)ｅと再生ゾーンｆとに仕切り、ロータを回転させながら除湿ゾーンｅに処理空気を通過させて乾燥空気を作り出すと共に、再生ゾーンｆに１４０℃程度の高温の再生空気を通過させることによって、前記吸着材中の水分を再生空気中に蒸発させて、連続的に除湿処理を行うように構成され、より低露点を得る場合には、多段式、すなわち複数の乾式除湿装置を直列系統接続して運転する方法が知られている・・・。」 
  
２ｃ「【０００８】 
・・・ 
[実施例] 
　図１は、実施例の超低露点温度の乾燥空気を供給するデシカント空調機１の系統図であって、主に直列に配置される第１デシカントロータ２１、第２デシカントロータ２２、第３デシカントロータ２３から構成される。そして、各デシカントロータの除湿する処理ゾーンの上流側には冷却器が配置され、第１デシカントロータ２１の前段には第１冷却器３１、第２デシカントロータ２２の前段には第２冷却器３２、第３デシカントロータ２３の前段には第３冷却器３３がそれぞれ配置される。また、各デシカントロータを加熱する再生ゾーンの上流側には再生器が配置され、空気の流れ順に第３デシカントロータ２３の前段には第３再生器４３、第２デシカントロータ２２の前段には第２再生器４２、第１デシカントロータ２１の前段には第１再生器４１がそれぞれ配置される。・・・」　 
  
２ｄ「【０００９】 
　先ず、図１で外気ＯＡから室内に乾燥空気の給気ＳＡを供給する処理ライン(図面下側)の構成から説明する。 
　外気ＯＡはファン５１により吸い込まれるが、ダンパ６１により吸入量を規制されフィルター７１により第１冷却器(冷却コイル)３１で冷やされ、第１デシカントロータ２１の処理ゾーン211を通過してある程度除湿される。この除湿された中間空気は、ファン５１により次の第２デシカントロータ２２の前段の第２冷却器３２で冷やされ、第２デシカントロータ２２の処理ゾーン221を通過して更に除湿される。・・・ 
【００１０】 
　この中間到達露点が−２０℃Ｐ程度に達した空気を、ダンパ６４及びファン５２により最終の第３デシカントロータ２３に送風し更に除湿する。この第３デシカントロータ２３の処理ゾーン231の上流には第３冷却器３３が配置され、乾燥空気は冷却されて到達露点は−５０℃ＤＰ程度まで除湿された後に、ドライルーム等の室内Ｒに給気通路８３より給気され、一部は返還通路８４から再生ラインに戻される。・・・」 
  
２ｅ「【００１１】 
　先ず、図１で給気ＳＡの一部が再生ゾーンを通過して外部に排気ＥＡとなって排出される再生ライン(図面上側)の構成を説明する。 
　第３デシカントロータ２３の到達露点は−５０℃ＤＰ程度までであり、その除湿空気の一部・・・は室内(Ｒ)へ給気され、また、その除湿空気の一部・・・は再生ラインに戻される。その戻された除湿空気は、まず、第３デシカントロータ２３の再生ゾーン232の前段の第３再生器(再生コイル)４３で加熱され、その後再生ゾーン232を通過して、デシカントロータの再生ゾーン232で湿気を飛ばし、ダンパ６６で風量規制・・・して、次段の第２デシカントロータ２２の再生ゾーン222に送風される。 
　この第２デシカントロータ２２では、その再生ゾーン222の前段に第２再生器４２が配置され、この第２再生器４２の上流側の前記ダンパ６６で風量規制・・・された空気が供給されるとともに、外気ＯＡをダンパ６７、フィルター７２、及び、第４冷却器３４を介して取り込んだ空気・・・を混合して、第２再生器４２で加熱し第２デシカントロータ２２の再生ゾーン222に送風する。更に、上記の再生ゾーン222から排出された空気は、第１再生器及び第１デシカントロータ２１の再生ゾーン212を通過して、ファン５３により戸外に排気される。
　なお、この再生ラインにおいて、第２デシカントロータ２２の再生側にのみ、外気ＯＡを導入して、再生ゾーン222,212での必要な通過空気量を確保する。これは、処理風量に対して再生風量が極端に少ないと再生（蒸発）が不十分となり、その結果処理空気の除湿性能が低下するからである・・・。すなわち、再生空気の湿度は低い方がデシカントロータの除湿性能が上がるのであるが、図1のデータでダンパ６７を通る外気1510CMHがなければ再生ゾーン222を通過する再生風量は550CMHで、処理風量2187CMHの約１／４と極端に少なくなってしまので、総合すれば除湿性能が上がらない。このように、湿度の高い外気の再生側への導入による除湿性能低下と、再生風量の増加による除湿性能上昇は相殺し合うが、本実施例の場合、再生風量増加の効果がより大きいと判断できるので外気を導入している。
  ・・・第１デシカントロータ２１の再生側に外気ＯＡを導入しないのは、第２デシカントロータ２２の再生ゾーン222を通過した再生用空気の湿度が十分低いので、これを利用するためである。」
  
２ｆ「【図１】 
　　　　　　　　　　　　　　　　　　　　　　　　　　　　　　　　」 
  
（イ）引用文献３の記載事項 
３ａ「【特許請求の範囲】 　
【請求項１】 
端面が除湿部と再生部に仕切られたロータを回転させながら前記除湿部に処理エアを通過させて該エアを除湿し、低露点のドライエアをドライルームに供給するとともに、前記再生部に加熱エアを通過させて、前記ロータを再生する乾式除湿装置において、前記除湿部の入口と出口を連通するバイパスと、前記バイパスを通過するエア流量を調節する制御手段と、前記ドライルームの露点温度を検出する測定手段を設け、露点温度に応じて制御手段によりバイパスを通過するエア流量を調節し、前記ドライルームに供給するドライエアの露点温度を制御することを特徴とする乾式除湿装置。 
【請求項２】 
ロータは、外気処理用の１段目ロータと、これに連通する低露点処理用の２段目ロータを有し、２段目ロータで除湿されたドライエアを１段目ローラの除湿部の入口と出口を連通するバイパスを通過するエアにより所定温度に調整し、ドライルームに供給することを特徴とする請求項１記載の乾式除湿装置。 
【請求項３】 
１段目ロータの除湿部で除湿された外気処理エアをドライルームから供給される環気エアと混合し、２段目ロータに供給することを特徴とする請求項２記載の乾式除湿装置。 
【請求項４】 
１段目ロータの除湿部入口と出口を連通するバイパスダクトを有し、バイパスダクトをドライルーム露点温度により制御される露点制御ファンを介して、２段目ロータの除湿部の出口に接続された供給ダクトに連通したことを特徴とする請求項２に記載の乾式除湿装置。 
【請求項５】 
２段目ロータの再生部には、１段目ロータからパージエアが供給され、再生部から排出されたパージエアは、再生ダクトを通じて再生エアと混合し、２段目再生ヒータで加熱され、再生部に導入されて２段目ロータを再生することを特徴とする請求項１または２記載の乾式除湿装置。 
【請求項６】 
２段目ロータから排出される再生エアの一部は、１段目再生ヒータで加熱され、再生部に導入されて１段目ロータを再生することを特徴とする請求項１または２記載の乾式除湿装置。」 
  
３ｂ「【００１８】 
【実施の形態】 
以下、図面に基づいて本発明の実施の形態について説明する。図１は本実施に係わる２段のロータを有する乾式除湿装置１とドライルーム２に低露点のドライエアを供給する概略の構成を示している。 
【００１９】 
乾式除湿装置１は外気処理用の１段目ロータ７と低露点処理用の２段目ロータ１２を有しており、前記１段目ロータ７、２段目ロータ１２は塩化リチュウムや塩化カルシウムなどの吸収液を含浸させたハニカム状やシリカゲル、ゼオライトなどの吸着剤で構成され、そのロー夕端面側が除湿部と再生部に仕切られており、図示しない回転駆動手段によって回転駆動される。 
【００２０】 
まず、導入外気ＯＡは外気導入ダクト３から導入され、中性能フィルタ４を通過後、外気処理ファン５によって外気処理プレクーラ６に送られ、冷却除湿された後、外気処理用の１段目ロータ７の除湿部７ａに入口８から導入される。そして、除湿部７ａを通過することによって、例えば、露点温度−１５℃まで除湿される。 
【００２１】 
前記除湿部７ａの出口９から出た外気処理エアは、ドライルーム２から環気ダクト１８を通って戻ってきた環気エアと混合され、除湿処理ファン１０によって、プレクーラ１１に送られる。前記プレクーラ１１によって処理エアは冷却された後、２段目ロータ１２の除湿部１２ａに入口１３から導入される。 
【００２２】 
そして、除湿部１２ａを通過して除湿され、低露点となったドライエアは出口１４から出た後、ＨＥＰＡフィルタ１５を通過し、ヒータ１６によって所定の温度に調節され、供給ダクト１７を通じて、吸気ＳＡとしてドライルーム２に供給される。 
【００２３】 
一方、２段目ロータ１２の再生部１２ｂには、パージダクト１９の入口２０と出口２１及び２段目再生ダクト２２の入口２３と出口２４が形成されており、外気処理後のエアの一部が前記パージダクト１９を通じて、入口２０から再生部１２ｂの除湿部１２ａに近い側を通過して、２段目ロータ１２を冷却し、温度が高いまま、除湿部１２ａに入ってしまうことを防止している。そして、出口２１から出たバージエアは、再生ダクト２２通じて、再生ファン２５によって送られてきた再生エアと混合し、再生ヒータ２６を通過することによって加熱された後、入口２３から再生部１２ａに導入され、２段目ロータ１２を再生する。 
【００２４】 
再生部の出口２４から出た再生エアは、パージエアの導入量だけエアを排出するが、その一部は１段目の再生ファン３０によって、１段目の再生ヒータ２７を通過して加熱され、１段目ロータ７の再生部７ｂの入口２８から再生部７ｂに導入され、１段目ロータ７を再生する。そして、出口２９から出た再生エアは排気ＥＡとして排気ダクト３１から、乾式除湿装置１の外部に排出される。
【００２５】
また、１段目ロータの除湿部７ａの入口８及び出口９の前後には、入口８及び出口９から分岐したバイパスダクト３２、３３が形成され、該ダクトは、バイパスされるエア流量を調節するバイパスダンパＤ８及びＤ９を介して、露点制御ファン３４に連通し、さらに、露点制御用の比例制御ダンパＤ１０を介して、２段目ロータ１２の除湿部１２ａの出口１４後の供給ダクト１７に連通されている。ドライルーム２内には室内露点温度を検出する手段である露点計３５が設置されており、前記露点計３５、バイパスダンパＤ８、Ｄ９，比例制御ダンパＤ１０及び露点制御ファン３４が制御手段である制御装置３６に接続されている。」 
  
３ｃ「【００２８】 
乾式除湿装置１の１段目ロータ７及び２段目口ータ１２を回転させ、外気処理ファン５、除湿処理ファン１０、再生ファン２５、３０が駆動されると、導入外気ＯＡが外気導入ダクト３を介して外気処理プレクーラ６に導かれ、例えば、露点温度０℃程度に冷却除湿後、１段目ロータ７の除湿部７ａに導入される。除湿部７ａに導入された外気処理エアは、除湿部７ａを通過することによって、例えば、露点温度−１５℃程度まで除湿される。 
【００２９】 
１段目ロータ７の除湿部７ａの出口９から出た外気処理エアは、ドライルーム２から環気ダクト１８を通って戻ってきた環気エアと混合され、除湿処理ファン１０によって、プレクーラ１１に送られる。ここで、外気処理エアと混合される環気エアは、元々ドライルーム２からの環気であったことから、既にかなりの低露点、例えば露点温度−４０℃となっており、処理エアの一部として再使用される。前記プレクーラ１１によって処理エアは冷却された後、２段目ロータ１２の除湿部１２ａに導入されるとともに、処理エアの一部はパージダクト１９を通じて、入口２０から再生部１２ｂの除湿部１２ａに近い側を通過して、２段目ロータ１２を冷却し、温度が高いまま、除湿部１２ａに入ってしまうことを防止している。除湿部１２ａに導入された処理エアは除湿部１２ａを通過することによって、例えば、露点温度−６０℃の低露点まで除湿される。そして、低露点となったドライエアは、ヒータ１６によって所定の温度に調節され、供給ダクト１７を通って、吸気ＳＡとしてドライルーム２内に供給される。 
【００３０】 
一方、２段目ロータ１２の再生部１２ｂには、再生ダクト２２を通って、再生ファン２５によって送られてきた再生エアと前記パージエアが混合され、再生ヒータ２６を通過することによって加熱された後、再生部１２ｂに導入され、２段目ロータ１２を再生する。その後、再生エアはその一部が１段目の再生ファン３０によって、１段目の再生ヒータ２７を通過して加熱され、１段目ロータ７の再生部７ｂに導入され、１段目ロータ７を再生する。そして、再生エアは排気ＥＡとして排気ダクト３１から、パージエアの導入量だけ乾式除湿装置１の外部に排出される。」 
 
３ｄ「【００３２】
ところで、ドライルーム２内に供給されたドライエアはドライルーム２内の作業者や装置、ワークに吸湿されている水分の放出によって露点温度−４０℃程度まで露点温度が上昇する。このドライルーム２の内部負荷は、作業者の人数に概略比例し、ドライルーム２内の露点温度は内部負荷によって変動し、ワークに対して水分量の変動が悪影響を及ぼすことになる。この露点温度変動をなくすためには、ドライルーム２内に供給されるドライエアの露点温度を調節する必要がある。
【００３３】
そこで、ドライルーム２内に設置された露点計３５によってドライルーム２内の露点温度を検出し、その検出値を制御装置３６に伝達する。制御装置３６は検出され露点温度に応じて、バイパスダンパＤ８、Ｄ９，比例制御ダンパＤ１０及び露点制御ファン３４を制御し、１段目ロータ７の除湿部７ａ前後の露点温度が高い処理エアを２段目ロータ１２の除湿部１２ａで低露点に除湿されたドライエアと混合して、ドライルーム２内に供給されるドライエアの露点温度を調節する。
【００３４】
例えば、ドライルーム２内の作業者が最大人数で内部負荷が最大のときは、バイパスダンパＤ８、Ｄ９が閉じており、バイパスダクト３２及び３３ヘバイパスされるエア流量はなく、乾式除湿装置１は最大能力で運転される。次に、ドライルーム２内の作業者が少なく、ドライルーム２内の露点温度が低くなると、露点計３５の露点温度検出値が低下して制御装置３６が制御し、バイパスダンパＤ９が開き、露点制御ファン３４によって１段目ロータ７の除湿部７ａ後の露点温度−１５℃程度の処理エアがバイパスダクト３３から比例制御ダンパＤ１０を介して、２段目ロータ１２の除湿部１２ａで低露点に除湿されたドライエアと混合して、ドライエアの露点温度が時間を要することなく制御される。さらに、ドライルーム２内の内部負荷が少なくなると、バイパスダンパＤ８が開き、１段目ロータ７の除湿部７ａ前の露点温度０℃程度の処理エアがバイパスダクト３２から流入して、ドライエアの露点温度がドライルーム２内の内部負荷に応じて制御される。
【００３５】
これによって、ドライルーム２内に供給されるドライ土アはドライルーム２内の内部負荷に応じた露点温度に短時間のうちに制御され、過剰な低露点のドライエアを供給することなく、ドライルーム２内を所定の露点温度に維持することができる。また、１段目ロータ７の除湿部７ａ及び２段目ロータ１２の除湿部１２ａに導入される処理エアは、バイパスダクト３２及び３３へバイパスされるエア流量に応じて減少し、除湿部７ａ及び除湿部１２ａに吸着される水分量が減少して、１段目ロータ７の再生部７ｂ及び２段目ロータ１２の再生部１２ｂに供給される再生エアの加熱エネルギを減少させることができ、乾式除湿装置１全体として消費エネルギが少なく、ランニングコストを低減できる。」
 
３ｅ「【図１】　　　　　　　　　　　　　　　　　　　　　　　　　　　
　　　　　　　　　　　　　　　　　　　　　　　　　　　　　　　　」 
 　 
（ウ）引用文献２に記載された発明 
　記載事項２ａ〜２ｆによると、引用文献２には、 
「再生ゾーンと処理ゾーンに仕切られた第１デシカントロータと、再生ゾーンと処理ゾーンに仕切られた第２デシカントロータと、再生ゾーンと処理ゾーンに仕切られた第３デシカントロータとを有し、外気を第１冷却器で冷して前記第１デシカントロータの処理ゾーンを通過させ、前記１デシカントロータの処理ゾーンを通過した空気を前記第２デシカントロータの処理ゾーンを通過させ、前記第２デシカントロータの処理ゾーンを通過した空気を前記第３デシカントロータの処理ゾーンを通過させて超低露点の給気として室内側に供給し、前記室内側からの還気を前記第３デシカントロータの上流側に返還して前記第３デシカントロータの処理ゾーンを通過させて除湿した後、吸気の一部を前記第３デシカントロータの再生ゾーンを通過させ、外気を第４冷却器を介して取り込んだ空気を混合して、第２再生器で加熱して前記第２デシカントロータの再生ゾーンを通過させ、前記第２デシカントロータの再生ゾーンを通過させた空気を第１再生器で加熱して前記第１デシカントロータの再生ゾーンを通過させ、外気を第１のデシカントロータの処理ゾーンに送るファンと、前記第１のデシカントロータの再生ゾーンを通過した空気を外部に排気するファンと、前記第２のデシカントロータの処理ゾーンを通過した空気を前記第３デシカントロータの処理ゾーンに送風するファンを設け前記室内側からの換気をこのファンの上流側に戻すようにした、デシカント空調機。」 
  の発明（以下、「引用発明２」という。）が記載されているといえる。 
  
　イ　対比と判断 
（ア）発明の対比 
　本件発明１と引用発明２とを対比する。 
　引用発明２の「再生ゾーン」、「処理ゾーン」、「仕切られた」は、それぞれ本件発明１の「再生ゾーン」、「吸着ゾーン」、「分割された」に相当する。 
　引用発明２の「第１デシカントロータ」は、外気が処理ゾーンを通過し、再生空気が再生ゾーンを通過して外部に排気されるように配置されているから、本件発明１の「第一の除湿ロータ」に相当する。 
　引用発明２の「第３デシカントロータ」は、処理ゾーンを通過した超低露点の給気を室内側に供給し、一部を再生ゾーンに供給するように配置されているから、本件発明１の「第二の除湿ロータ」に相当する。 
　引用発明２の「第１冷却器」は、本件発明１の「第一のクーラ」に相当する。 
　引用発明２の「超低露点の給気」、「室内側」は、それぞれ本件発明１の「供給空気」、「供給先」に相当する。 
　引用発明２の「室内側からの還気」を「返還」することは、本件発明１の「供給先からの還気」を「空気と混合」することに相当する。 
　引用発明２の「第１再生器」は、本件発明１の「第三のヒータ」に相当する。 
　引用発明２の「ファン」は、それぞれ本件発明１の「ブロア」に相当するところ、引用発明２の「外気を第１のデシカントロータの処理ゾーンに送るファン」、「第１のデシカントロータの再生ゾーンを通過した空気を外部に排気するファン」は、それぞれ本件発明１の「外気を前記第一の除湿ロータの吸着ゾーンへ送る第一のブロア」、「前記第一の除湿ロータの再生ゾーンを通過した空気を外部に放出する第三のブロア」に相当する。また、引用発明２の「デシカントロータの処理ゾーンを通過した空気を前記第３デシカントロータの処理ゾーンに送風するファンを設け前記室内側からの換気をこのファンの上流側に戻す」ことは、本件発明１の「除湿ロータの吸着ゾーンを通過した空気を前記第二の除湿ロータの吸着ゾーンに送る第二のブロアを設け前記供給先からの還気をこのブロアの吸入側に入れる」ことに相当する。
  
　以上のことから、本件発明１と引用発明２とは、 
「少なくとも再生ゾーンと吸着ゾーンとの２つのゾーンに分割された第一の除湿ロータと、少なくとも再生ゾーンと吸着ゾーンの２つに分割された第二の除湿ロータとを有し、外気を第一のクーラで冷却除湿して前記第一の除湿ロータの吸着ゾーンに通過させ、除湿ロータの吸着ゾーンを通過した空気を前記第二の除湿ロータの吸着ゾーンを通過させ、供給空気として供給先に供給し、前記供給先からの還気を、除湿ロータの吸着ゾーンを通過した空気と混合して前記第二の除湿ロータを通過させて除湿した後、前記第二の除湿ロータの再生ゾーンに通過させ、除湿ロータの再生ゾーンを通過した空気を第三のヒータによって加熱し前記第一の除湿ロータの再生ゾーンを通し、外気を前記第一の除湿ロータの吸着ゾーンへ送る第一のブロアと、前記第一の除湿ロータの再生ゾーンを通過した空気を外部に放出する第三のブロアと、除湿ロータの吸着ゾーンを通過した空気を前記第二の除湿ロータの吸着ゾーンに送る第二のブロアを設け前記供給先からの還気をこのブロアの吸入側に入れるようにした、除湿装置。」 
　の点で一致し、以下の点で両者は相違する。 
  
相違点２−１：本件発明１は、第一の除湿ロータの吸着ゾーンを通過した空気を、第二の除湿ロータの吸着ゾーンを通過させるものであるのに対して、引用発明２は、第１デシカントロータの処理ゾーンを通過した空気を、第２デシカントロータの処理ゾーンを通過させ、前記第２デシカントロータの処理ゾーンを通過した空気を、第３デシカントロータの処理ゾーンを通過させるものである点。
相違点２−２：本件発明１は、 第二の除湿ロータの再生ゾーンを通過した空気は、第一のクーラによって冷却除湿された空気と混合され、この空気を第三のヒータによって加熱して前記第一の除湿ロータの再生ゾーンに通すようにしたものであるのに対して、 引用発明２は、第３デシカントロータの再生ゾーンを通過させた空気に、外気を第４冷却器を介して取り込んだ空気を混合して、第２再生器で加熱して第２デシカントロータの再生ゾーンを通過させ、前記第２デシカントロータの再生ゾーンを通過した空気を、第１再生器で加熱して第１デシカントロータの再生ゾーンを通過させるようにしたものである点。
相違点２−３：本件発明１は、除湿ロータの吸着ゾーンを通過させ第一のヒータを通過させて供給空気として供給先に供給するのに対して、引用発明２は、デシカントロータの処理ゾーンを通過させて加熱手段を通過させることなしに超低露点の給気として室内側に供給する点。
  
（イ）相違点についての判断
　ここで、上記相違点２−２について検討する。
　引用文献２の記載事項２ｅによると、デシカントロータの処理風量に対して再生風量が少ないと再生（蒸発）が不十分となり、その結果、処理空気の除湿性能が低下することを防止するため、引用発明２は、第３デシカントロータの再生ゾーンから送風された空気に、外気を第４冷却器を介して取り込んだ空気を混合して、第２デシカントロータ及び第１デシカントロータの再生ゾーンでの必要な通過空気量を確保するものである。
　そして、第２デシカントロータの再生ゾーンを通過した再生用空気の湿度が十分低いので、これを利用するため、第１デシカントロータの再生側に外気は導入しないとされているから、引用発明２は、第２デシカントロータの再生ゾーンを通過した空気に第１冷却器で冷やした外気を混合することを全く想定していないといえる。
　そうすると、引用発明２において、第２デシカントロータの再生ゾーンを通過した第１のデシカントロータの再生側の空気に、第１冷却器で冷やした外気を混合することには、阻害要因があるといえるから、引用文献３の記載事項を検討したとしても、相違点２−２を解消することはできない。
　よって、相違点２−１、２−３について検討するまでもなく、本件発明１は、引用発明２及び引用文献２、３に記載された技術事項に基いて、当業者が容易に発明をすることができたものであるとはいえない。
  
（３）申立３による取消理由について　 
　ア　各引用文献の記載事項及び引用文献３に記載された発明 
（ア）引用文献３の記載事項　　 
　上記「２ ア（イ）引用文献３の記載事項」参照　 
  
（イ）引用文献４の記載事項 
　引用文献４は、乾式除湿機について記載され、５ページには、代表的な低露点フローである循環方式の除湿装置において、外気をプレクーラで冷却除湿して得られた空気を、除湿ロータの「パージ部」に通し、該「パージ」部を通過した空気を、再生空気の一部として再生ヒータに通し、除湿ロータの「再生部」に通すことが記載されていると認められる。　　　 
  
（ウ）引用文献３に記載された発明 
　記載事項３ａ〜３ｅによると、引用文献３には、 
　「再生部と除湿部に仕切られた１段目ロータと、再生部と除湿部に仕切られた２段目ロータとを有し、導入外気を外気処理プレクーラで冷却除湿して前記１段目ロータの除湿部を通過させ、前記１段目ロータの除湿部を通過した外気処理エアを前記２段目ロータの除湿部を通過させヒータを通過させて吸気としてドライルームに供給し、前記ドライルームからの環気エアを前記１段目ロータの除湿部を通過した外気処理エアと混合して前記２段目ロータを通過させて２段目ロータを冷却した後、前記２段目ロータの再生部を通過させ、前記２段目ロータの再生部を通過した再生エアを再生ヒータで加熱して前記１段目ロータの再生部を通過させ、前記２段目ロータの除湿部を通過して除湿されたドライエアは、前記外気処理プレクーラで冷却除湿された外気処理エアと混合できるようにされ、導入外気を前記１段目ロータの除湿部に導入する外気処理ファンと、前記１段目ロータの再生部を通過した再生エアを外部に排出する再生ファンと、前記１段目ロータの除湿部を通過した外気処理エアを前記２段目ロータの除湿部に送る除湿処理ファンを設け前記ドライルームからの環気をこの除湿処理ファンの上流側に戻すようにした、乾式除湿装置。」 
の発明（以下、「引用発明３」という。）が記載されているといえる。 
  　　　　
　イ　対比と判断 
（ア）発明の対比 
　本件発明１と引用発明３とを対比する。 
　引用発明３の「再生部」、「除湿部」、「仕切られた」は、それぞれ本件発明１の「再生ゾーン」、「吸着ゾーン」、「分割された」に相当し、引用発明３の「１段目ロータ」、「２段目ロータ」は、それぞれ本件発明１の「第一の除湿ロータ」、「第二の除湿ロータ」に相当する。 
　引用発明３の「導入外気」、「外気処理プレクーラ」は、それぞれ本件発明１の「外気」、「第一のクーラ」に相当する。 
　引用発明３の「外気処理エア」、「ヒータ」、「給気」、「ドライルーム」、「環気エア」は、それぞれ本件発明１の「空気」、「第一のヒータ」、「供給空気」、「供給先」、「還気」に相当する。 
　引用発明３の「前記ドライルームからの環気エアを前記１段目ロータの除湿部を通過した外気処理エアと混合」することは、本件発明１の「前記供給先からの還気を前記第一の除湿ロータの吸着ゾーンを通過した空気と混合」することに相当する。 
　引用発明３の「２段目ロータの再生部を通過した再生エア」、「導入外気」は、それぞれ本件発明１の「第二の除湿ロータの再生ゾーンを通過した空気」、「外気」に相当する。 
　そして、引用発明３の「導入外気を前記１段目ロータの除湿部に導入する外気処理ファン」、「前記１段目ロータの再生部を通過した再生エアを外部に排出する再生ファン」は、それぞれ本件発明１の「外気を前記第一の除湿ロータの吸着ゾーンへ送る第一のブロア」、「前記第一の除湿ロータの再生ゾーンを通過した空気を外部に放出する第三のブロア」に相当し、引用発明３の「前記１段目ロータの除湿部を通過した外気処理エアを前記２段目ロータの除湿部に送る除湿処理ファンを設け前記ドライルームからの環気をこの除湿処理ファンの上流側に戻す」ことは、本件発明１の「前記第一の除湿ロータの吸着ゾーンを通過した空気を前記第二の除湿ロータの吸着ゾーンに送る第二のブロアを設け前記供給先からの還気をこのブロアの吸入側に入れる」ことに相当する。 
  
　以上のことから、本件発明１と引用発明３とは、　　　 
 「少なくとも再生ゾーンと吸着ゾーンとの２つのゾーンに分割された第一の除湿ロータと、少なくとも再生ゾーンと吸着ゾーンの２つに分割された第二の除湿ロータとを有し、外気を第一のクーラで冷却除湿して前記第一の除湿ロータの吸着ゾーンに通過させ、前記第一の除湿ロータの吸着ゾーンを通過した空気を前記第二の除湿ロータの吸着ゾーンを通過させ第一のヒータを通過させて供給空気として供給先に供給し、前記供給先からの還気を前記第一の除湿ロータの吸着ゾーンを通過した空気と混合して前記第二の除湿ロータを通過させた後、前記第二の除湿ロータの再生ゾーンに通過させ、前記第二の除湿ロータの再生ゾーンを通過した空気を第三のヒータによって加熱し前記第一の除湿ロータの再生ゾーンを通し、外気を前記第一の除湿ロータの吸着ゾーンへ送る第一のブロアと、前記第一の除湿ロータの再生ゾーンを通過した空気を外部に放出する第三のブロアと、前記第一の除湿ロータの吸着ゾーンを通過した空気を前記第二の除湿ロータの吸着ゾーンに送る第二のブロアを設け前記供給先からの還気をこのブロアの吸入側に入れるようにした、除湿装置。」 
 の点で一致し、以下の点で両者は相違する。 
相違点３−１：本件発明１は、供給先からの還気を第一の除湿ロータの吸着ゾーンを通過した空気と混合して第二の除湿ロータを通過させて除湿することが特定されているのに対して、引用発明３は、ドライルームからの環気エアを１段目ロータの除湿部を通過した外気処理エアと混合して２段目ロータを通過させて２段目ロータを冷却することが規定されている点。
相違点３−２：本件発明１は、第二の除湿ロータの再生ゾーンを通過した空気は第一のクーラによって冷却除湿された空気と混合され、この空気を第三のヒータによって加熱することが特定されているのに対して、引用発明３は、２段目ロータの再生部を通過した再生エアを再生ヒータで加熱することは規定されているが、前記再生エアは、外気処理プレクーラで冷却除湿された外気処理エアと混合するものではなく、２段目ロータの除湿部を通過して除湿されたドライエアが、前記外気処理エアと混合できるようにしたことが規定されている点。　　
（イ）相違点についての判断 
　ここで、相違点３−２について検討する。　
　引用文献３の記載事項３ｄによれば、ドライルームに供給されるドライエアを、ドライルームの内部負荷に応じた露点温度に制御可能とするために、引用発明３は、２段目ロータの除湿部を通過して得られたドライエアを、外気処理プレクーラで冷却除湿した外気処理エアとを混合できるようにしたものであるから、引用発明３は、上記外気処理エアをドライエア以外のロータの再生部を通過した再生エアなどと混合することを全く想定していないといえる。
　したがって、引用発明３において、２段目ロータの再生部を通過した再生エアに上記外気処理エアを混合することには、阻害要因があるといえるから、引用文献４の記載事項を検討したとしても、相違点３−２を解消することはできない。
　よって、相違点３−１について検討するまでもなく、本件発明１は、引用発明３及び引用文献３、４に記載された技術事項に基いて、当業者が容易に発明をすることができたものであるとはいえない。
第６　申立人の意見について
１　申立人の主張
　申立人は、平成２９年１２月１日付けの意見書において、先の訂正請求により訂正された請求項１に対して以下の主張をしている。
（１）訂正要件違反　
　請求項１で「再生ヒータ」と「第三のヒータ」が同時に特定されているから、訂正要件違反である。
（２）分割要件違反
　訂正後の明細書の【０００１】等に原出願の明細書にない記載があるから、分割要件を満たしておらず、原出願の公開公報に記載された発明に対して、新規性、進歩性がない。
（３）記載要件違反
　ア 「再生ヒータ」と「第三のヒータ」を備える発明は、発明の詳細な説明に記載されていないから、サポート要件及び実施可能要件違反である。
　イ　請求項１の「再生ヒータ」と「第三のヒータ」の関係が不明確である。
　ウ　請求項１に「第一のヒータ」と「第三のヒータ」の記載があるが、「第二のヒータ」の記載がないから不明確である。
　エ　請求項４に「第三のヒータ」の特定があるが、請求項１の「第三のヒータ」との関係が不明確である。
　オ　訂正により追加された記載により、請求項１の記載が冗長である。
（４）進歩性違反
　ア　訂正により追加された「（前略）前記第二の除湿ロータの再生ゾーンを通過した空気は、前記第一のクーラによって冷却除湿された空気と混合され、この空気を第三のヒータによって加熱し前記第一の除湿ロータの再生ゾーンを通し、（以下略）」との限定事項は、参考資料１〜４に記載されているように周知の技術であるから、訂正後の請求項１に係る発明は、依然として進歩性がない。
（参考資料）
　参考資料１：特開２０１０−１４８９９７号公報
　参考資料２：特開平１１−１８８２２４号公報
　参考資料３：特開２００６−１２５６７０号公報
　参考資料４：特開２００２−３２０８１７号公報
　イ　平成２９年８月２４日付けの特許権者の意見書における請求項１に係る発明の効果の主張は採用できるものではないから、請求項１に係る発明は依然として進歩性がない。
２　当審の判断
（１）「１（１）、（２）、（３）ア、イ、オ」について
　本件訂正請求により、本件発明１において「再生ヒータ」の記載は削除され「第三のヒータ」のみが特定され記載が明確となり、また、明細書において分割時に追加された記載は削除されたから、申立人の主張した不備等は解消した。
（２）「１（３）ウ」について
　本件発明１は、加熱手段として「第一のヒータ」と「第三のヒータ」を特定する発明であると認められるから、「第二のヒータ」の記載がないことをもって不明確であるとはいえない。
（３）「１（３）エ」について
　請求項４は、本件発明１（請求項１）を間接的に引用するものであり、それらの記載から請求項４で特定する「第三のヒータ」は、本件発明１で特定する「第三のヒータ」であることは明らかであるから、これらの記載は明確である。
（４）「１（４）ア」について
　参考資料１〜４には、冷却装置により冷却除湿された空気の一部を、除湿ロータのパージ部を通過させた後、再生空気と混合し、加熱装置により加熱した後、当該除湿ロータの再生部に通すことが記載されているが、冷却除湿された空気はパージ部を通過させて除湿ロータの再生に利用するものであるから、本件発明１の「第二の除湿ロータの再生ゾーンを通過した空気は前記第一のクーラによって冷却除湿された空気と混合され、この空気を第三のヒータによって加熱し・・・」という特定事項が周知技術であることを示すものではない。
　よって、本件発明１は、引用発明２、３、並びに引用文献２、３及び参考資料１〜４に記載された技術事項を考慮しても、当業者が容易に発明をすることができたものであるとはいえない。　　
（５）「１（４）イ」について
  第５で検討したとおり、本件発明１には、構成困難性があるのだから、特許権者の意見書における効果の主張が採用できないとしても、進歩性がないということはできない。
第７　むすび
　以上のとおりであるから、取消理由及び特許異議申立ての理由によっては、本件請求項１に係る特許を取り消すことはできない。　　
　また、他に本件請求項１に係る特許を取り消すべき理由を発見しない。
　よって、結論のとおり決定する。
【異議決定日】
平成３０年８月２９日（２０１８．８．２９）
【訂正の要旨】
審決（決定）の【理由】欄参照。
（５４）【発明の名称】
除湿装置
【発明の詳細な説明】
　【技術分野】
　【０００１】
　本発明は、除湿ロータを用いるものであって、再生温度が低くても露点の低い
空気の供給が可能な
　【背景技術】
　【０００２】
　近年、リチウム電池の需要が増大し、それに伴いその生産も増大している。リチウム電池は、その原料であるリチウムが空気中の湿気と反応し、その反応によって生産されたリチウム電池の性能が悪くなる。このため、リチウム電池の生産ラインは、乾燥した状態に保つ必要がある。この乾燥した状態に保つ手段として、生産工場内をチッソによってパージする手段と、シリカゲルなどの湿気吸着剤を有する除湿ロータを利用した除湿装置を用いる手段などがある。
　【０００３】
　リチウム電池の用途が、電気自動車やハイブリッド自動車などの自動車用に広がるにつれて、生産工場の規模が大きくなり、上記のチッソパージによる手段よりも除湿装置を用いる手段の方が次第に現実的になりつつある。
　【０００４】
　除湿装置の場合、除湿ロータの再生に高温の空気を使うのであるが、その高温の空気を作るためのエネルギーをできるだけ少なくすることが図られている。
　【０００５】
　例えば特許文献１に開示されたものは、乾燥空気の送られるドライルームからの還気を除湿ロータのパージゾーンに送るようにし、そのパージゾーンを出た空気を加熱して再生ゾーンに送るようにしているため、パージゾーンで熱エネルギーの回収を行う事ができ、省エネルギー効果の高いものである。
　【先行技術文献】
　【特許文献】
　【０００６】
　【特許文献１】特開平１０−７６１３１号公報
　【発明の概要】
　【発明が解決しようとする課題】
　【０００７】
　解決しようとする問題点は、省エネルギー効果を得るだけでなく、再生温度を低くして、種々のエネルギー源に対応可能にするようにする点である。つまり再生温度が低いと、電気ヒータだけでなく、重油やガスを燃料として用いるボイラーからの温水や、工場の廃熱など、多くのエネルギー源を用いることができる。
　【課題を解決するための手段】
　【０００８】
　本発明は、少なくとも再生ゾーンと吸着ゾーンとの２つのゾーンに分割された第一の除湿ロータと、少なくとも再生ゾーンと吸着ゾーンの２つに分割された第二の除湿ロータとを有し、外気を第一のクーラで冷却除湿して前記第一の除湿ロータの吸着ゾーンに通過させ、第一の除湿ロータの吸着ゾーンを通過した空気を第二の除湿ロータの吸着ゾーンを通過させ供給ヒータを通過させて供給空気として供給先に供給し、供給先からの還気を前記第一の除湿ロータの吸着ゾーンを通過した空気と混合し、第二の除湿ロータの再生ゾーンを通過した空気を再生ヒータで加熱して第一の除湿ロータの再生ゾーンに通し、外気を第一の除湿ロータの吸着ゾーンへ送るブロアと、第二の除湿ロータの再生ゾーンを通過した空気を外部に放出するブロアと、第一の除湿ロータの吸着ゾーンを通過した空気を第二の除湿ロータの吸着ゾーンに送るブロアを設け供給側からの還気をこのブロアの吸入側に入れるようにしたことを最も主要な特徴とする。
　【発明の効果】
　【０００９】
　本発明の除湿装置は、再生空気の温度が低いため、多くのエネルギー源が利用でき、停電などエネルギーインフラに問題が生じた場合に柔軟に対応が可能である。
　【００１０】
　つまり工場で使うエネルギー源としては、電気でなければならない部分は電気とし、電気に限らずその他のエネルギーでもよい場合は、電気だけでなく多種のエネルギー源を使えるようにしておくと、緊急事態に柔軟に対応が可能となる。
　【００１１】
　このためには、除湿ロータの再生空気の温度が低く出来るようにする事によって、吸着式の除湿装置で最も多くのエネルギーを必要とする再生空気の加熱に、多様なエネルギーを用いることができるようになる。
　【００１２】
　また、再生に必要な温度が低いと、工場などに廃熱がある場合、それを利用することができ、このような場合にはエネルギーコストが不要になるとともに、二酸化炭素排出量の削減も可能である。
　【００１３】
　工場で使う機器のエネルギー源は、電気、ガスなどできるだけ多様である方が、緊急時の対応が柔軟で好ましい。そして、再生に必要な高温空気の温度ができるだけ低い方が、工場の余熱を用いたり、太陽熱を用いたり、エネルギー源も多様になるだけでなく、省エネルギーを図ることも可能である。
　【００１４】
（削除）
　【００１５】
（削除）
　【図面の簡単な説明】
　【００１６】
　【図１】図１は除湿装置の実施例を示した図である。
　【発明を実施するための形態】
　【００１７】
　除湿ロータの再生空気の温度を下げ、多くのエネルギー源を利用できるようにするという目的を、再生ゾーンと吸着ゾーンとに分割された第一の除湿ロータと、再生ゾーンと吸着ゾーンに分割された第二の除湿ロータとを有し、外気を第一のクーラで冷却除湿して第一の除湿ロータの吸着ゾーンに通過させるようにすることによって、供給空気の露点を上げることがなく、外気を第一の除湿ロータの吸着ゾーンへ送るブロアと、第一の除湿ロータの再生ゾーンを通過した空気を外部に放出するブロアと、第一の除湿ロータの吸着ゾーンを通過した空気を第二の除湿ロータの吸着ゾーンに送るブロアを設け供給側からの還気をこのブロアの
吸入側に入れるようにした。
　【実施例１】
　【００１８】
　１は第一の除湿ロータであり、吸着ゾーン２及び再生ゾーン３に分割されている。４は第二の除湿ロータであり、これも吸着ゾーン５及び再生ゾーン６に分割されている。
　【００１９】
　７は第一のクーラであり、この第一のクーラは外気ＯＡを冷却除湿するものである。つまり外気の露点以下に空気を冷却するものである。第一のクーラ７を通過した空気は、第一のブロア８によって第一の除湿ロータ１の吸着ゾーン２を通過した後、第二の除湿ロータの吸着ゾーンを通過させ、更に第一の
ヒ
　【００２０】
　ドライルーム１１からの還気ＲＡは、第二のクーラ１２によって冷却され、第二のブロア９の吸い込み側に導かれる。つまり第二のブロア９の吸い込み側には第一の除湿ロータ１の吸着ゾーン２を通過した空気と、ドライルーム１１からの還気ＲＡとが導かれる。
　【００２１】
　第二の除湿ロータ４の吸着ゾーン５を出た空気の一部は分岐され、第二の
ヒ
　【００２２】
　以上の構成の本発明の除湿装置の動作を以下、説明する。以下の説明で、温度は全て摂氏である。また各データは、試作を行った装置を用いて測定したものである。外気ＯＡは、第一のクーラ７によって冷却除湿される。例えば外気ＯＡの空気条件が日本の夏条件を想定して、温度３５度、絶対湿度２０ｇ／ｋｇであった場合、実験の結果、第一のクーラ７によって温度１０度まで冷却され、結露によって絶対湿度が７．２５ｇ／ｋｇまで下げられる。
　【００２３】
　この空気は第一のブロア８によって、第一の除湿ロータ１の吸着ゾーン２を通過し、湿気が吸着されて絶対湿度０．６３５ｇ／ｋｇの乾燥空気となる。この乾燥空気は第二のクーラ１２によって冷却されたドライルーム１１からの還気ＲＡと混合される。ドライルーム１１からの還気ＲＡの絶対湿度は実測値で０．０７９ｇ／ｋｇであり、これが第二のクーラ１２によって０度まで冷却され、上記のとおり吸着ゾーン２を出た空気と混合される。そして、混合後第二のブロア９を出た空気の温度は１３．０度であり、絶対湿度は０．２２ｇ／ｋｇであった。
　【００２４】
　第二のブロア９を出た空気は、第二の除湿ロータ４の吸着ゾーン５を通過して湿気が吸着され、乾燥した低露点空気となる。この低露点空気の実測値は、温度１６度、絶対湿度０．００２９ｇ／ｋｇであり、露点は−６６度であった。この低露点空気は第一の
ヒ
　【００２５】
　第二の除湿ロータ４の吸着ゾーン５を通過した空気の一部は分岐され、第二の
ヒ
　【００２６】
　第二の除湿ロータ４の再生ゾーン６を通過し湿度の上昇した空気は、第一のクーラ７によって冷却除湿された空気と混合され、温度３６度、絶対湿度３．３９ｇ／ｋｇの空気となる。
　【００２７】
　この空気は第三のヒータ１４によって温度が８０度になるまで加熱される。この温度の上昇した空気が第一の除湿ロータ１の再生ゾーン３を通過し、通過に伴って第一の除湿ロータ１に吸着された湿気を脱着する。この脱着後の多湿空気は第三のブロア１５によって大気放出される。
　【００２８】
　上記の一連の動作説明で明確なとおり、第一の除湿ロータ１及び第二の除湿ロータ４とも、再生空気の温度は８０度である。この８０度の再生空気で、最終的な供給空気ＳＡの露点は−６６であった。この露点は、例えばリチウム電池の生産工場の空気として十分な露点である。
　【００２９】
　本発明の除湿装置は、上記のような動作となるが、試作した装置の動作中の熱負荷は、次のようなデータとなる。先ず、外気を冷却するとともに冷却除湿する第一のクーラ７の冷凍負荷Ｑｃ１は、Ｑｃ１＝１６６０×１．２×（８６．５−２８．３）／３６００＝３２．２Ｋｗとなる。
　【００３０】
　一方で、第一の
ヒ
ヒ
ヒ
ヒ
ヒ
ヒ
　【００３１】
　ここで、コンデンサによって加熱される空気の温度が、第二の
ヒ
　【００３２】
　また第二のクーラ１２の冷凍機の熱負荷Ｑｃ２はＱｃ２＝３５７０×１．２×（２３．３−０．２）／３６００＝２７．５Ｋｗである。これと第三のヒータ１４の熱負荷Ｑｈｔ３を比較すると、第三のヒータ１４の熱負荷の方が小さい。
Ｑｈｔ３＝１２３０×１．２×１×（８０−４５）／３６００＝１８．３Ｋｗ
　【００３３】
　このため、第２のヒータ１３と同様、第二のクーラ１２の冷凍機の排熱、即ちコンデンサの熱によって第三のヒータ１４の熱源とすることができる。この場合に、第２のヒータ１３と同様要求温度に達しない場合は、ガスヒータ、電気ヒータ、蒸気ヒータによって加温することができる。
　【００３４】
　上記のクーラは、冷凍機を使う例を示したが、液化天然ガスや液化石油ガスの気化熱で冷却する事もできる。つまり液化ガスは蒸発器で液体からガスに状態を変更して利用されることが多く、この場合に気化熱で蒸発器（ベーパライザー）の温度が下がる。この冷熱を利用することができる。この場合には、冷凍機の排熱の利用ができないが、ヒータに要求される温度は８０度であるので、その他の廃熱や、ガスヒータ或いはボイラーで沸かした温水など多様な熱源を利用することができる。
　【００３５】
　上記のようにヒータとクーラとの組合せを冷凍機のコンデンサとエバポレータとすることで、消費エネルギーを少なくする事ができるが、ここで、冷凍機としてガスヒートポンプ（ＧＨＰ：ガスを燃料とする内燃機関によってコンプレッサを駆動するヒートポンプ）を用いると、ＧＨＰのガスエンジンの廃熱も利用する事ができる。つまり、ヒータ１３やヒータ１４として、コンデンサとラジエタとの組合せとし、ラジエタにはガスエンジンを冷却した冷却水を循環させる。このようにして、先ずコンデンサで空気を加熱し、次にラジエタで所望の温度まで空気を加熱するようにする。こうする事によって、他の熱源を使うことなく、本発明の除湿装置を駆動する事ができる。
　【００３６】
　このようにエネルギー源として多様なエネルギー・ソースを利用できるため、震災などで社会インフラが破壊された場合などにも、使用可能なエネルギー・ソースを活用してリチウム電池工場などの生産工場を止めずに生産を維持できるというメリットがある。
　【００３７】
　さらに熱源の温度が低いために、本発明の除湿装置を構成する材料として耐熱性の高い物は必要でなく、材料の入手が容易で安価なものを用いることができるという効果がある。
　【００３８】
（削除）
　【００３９】
（削除）
　【産業上の利用可能性】
　【００４０】
　低露点の空気を供給することができ、リチウム電池の工場や、製薬の工程にも適用できる。
　【符号の説明】
　【００４１】
１　　　　第一の除湿ロータ
２　　　　吸着ゾーン
３　　　　再生ゾーン
４　　　　第二の除湿ロータ
５　　　　吸着ゾーン
６　　　　再生ゾーン
７　　　　第一のクーラ
８　　　　第一のブロア
９　　　　第二のブロア
１０　　　第一の
ヒ
１１　　　ドライルーム
１２　　　第二のクーラ
１３　　　第二の
ヒ
１４　　　第三のヒータ
１５　　　第三のブロア
（５７）【特許請求の範囲】
　【請求項１】
　少なくとも再生ゾーンと吸着ゾーンとの２つのゾーンに分割された第一の除湿ロータと、少なくとも再生ゾーンと吸着ゾーンの２つに分割された第二の除湿ロータとを有し、外気を第一のクーラで冷却除湿して前記第一の除湿ロータの吸着ゾーンに通過させ、前記第一の除湿ロータの吸着ゾーンを通過した空気を前記第二の除湿ロータの吸着ゾーンを通過させ
第一の
前記第二の除湿ロータの再生ゾーンを通過した空気は前記第一のクーラによって冷却除湿された空気と混合され、この空気を第三のヒータによって加熱し前記第一の除湿ロータの再生ゾーンを通し、
　【請求項２】
　前記第一のクーラは冷凍機のエバポレータを用い、前記
第一の
　【請求項３】
　冷凍機としてガスヒートポンプを用いたことを特徴とする請求項２記載の除湿装置。
　【請求項４】
　少なくとも前記第二のヒータ或いは第一の除湿ロータの再生ゾーンに加熱空気を導く第三のヒータは、冷凍機のコンデンサとガスエンジンを冷却するラジエタの組合せであることを特徴とする請求項３記載の除湿装置。